(57)【要約】【課題】外側摺動部材を筒状に代えてほぼ板状とし、それにより軽量化を図るとともに、ガイド用の長孔の加工を簡略化できるようにした摺動制御装置を得ること。【解決手段】摺動制御装置において、パイプ１５内にガイド部材５６挿入固定し、上記パイプ１５内において内側摺動部材５７を上記ガイド部材５６に対して摺動可能に取り付け、上記ガイド部材５６と内側摺動部材５７間に、内側摺動部材５７をガイド部材５６に対して初期位置にあるように付勢するバネ６１を張設し、上記パイプに設けられた長手方向に延びる長孔５５を通して上記内側摺動部材５７に連結され、パイプに設けられた長孔５５に沿い、パイプ１５の外面に対して摺動可能に装着された板状の外側摺動部材３８を設けた。【選択図】図７
2007098998.tif 000002
【特許請求の範囲】
【請求項１】
軸線方向に延びる長孔を有するパイプと、上記パイプ内に挿入固定されたガイド部材と、上記パイプ内において上記ガイド部材に対して摺動可能に取り付けられている内側摺動部材と、上記ガイド部材と内側摺動部材間に張設され、内側摺動部材をガイド部材に対して初期位置にあるように付勢しているバネと、上記パイプに設けられた長孔を通して上記内側摺動部材に連結され、パイプに設けられた長孔に沿い、パイプの外面に対して摺動可能に装着された板状の外側摺動部材とを有することを特徴とする、摺動制御装置。
【請求項２】
内側摺動部材にはパイプ内に挿通されたワイヤが連結されており、そのワイヤを操作することにより、内側摺動部材を介して外側摺動部材がパイプに設けられた長孔に沿い、パイプの外面に対して摺動されるようにしたことを特徴とする、請求項１記載の摺動制御装置。
【請求項３】
外側摺動部材は直接手によりパイプの外面に対して摺動されるようにしたことを特徴とする、請求項１記載の摺動制御装置。
【請求項４】
外側摺動部材は内側摺動部材に対してタッピングねじ等の締結部材で外側から締結されていることを特徴とする、請求項１乃至３のいずれかに記載の摺動制御装置。
【請求項５】
外側摺動部材は、ベビーカーにおけるロック解除部材であることを特徴とする、請求項１乃至４のいずれかに記載の摺動制御装置。
【請求項６】
外側摺動部材は、ベビーカーにおける手押し杆を対面押し状態或いは背面押し状態に保持する係止部材であることを特徴とする、請求項１乃至４のいずれかに記載の摺動制御装置。
【発明の詳細な説明】
【技術分野】
【０００１】
本発明は摺動制御装置に係り、特にベビーカーのロック解除部材等に使用される摺動制御装置に関する。
【背景技術】
【０００２】
一般に、乳幼児を散歩や買物等のために屋外に連れ出す場合に使用するベビーカーにおいては、必要に応じて折り畳み、収納や携帯が容易になるようにしたものが開発されている。
【０００３】
図８は、上記ベビーカーの概略構成を示す一部切り欠き斜視図であり、前輪１１を有する左右一対の前脚１２、後輪１３を有する左右一対の後脚１４、ほぼＵ字状に屈曲された手押し杆１５、左右一対のアームレスト１６、及びそのアームレスト１６の一端がそれぞれ枢着された、互いに平行に延びる左右２本の側部縦パイプ１７によりベビーカー本体が構成されている。
【０００４】
上記各アームレスト１６の前部には前脚１２の頂端部が枢着されており、そのアームレスト１６の先端部間には弧状の屈曲可能なガードアーム１８が着脱可能に掛け渡されている。また、左右の後脚１４の頂端部もアームレスト１６の中間部に枢着されており、その後脚１４の中間部にはく字状に屈曲されたブラッケット１９の一端が枢着されている。そして、上記ブラッケット１９の中間位置が前記側部縦パイプ１７の下端部にそれぞれ枢着されており、ベビーカーの展開状態において、上記ブラッケット１９の他端に形成された係合部に上記側部縦パイプ１７に摺動可能に装着されたロック部材２０が係合し、その展開状態を維持するようにしてある。
【０００５】
一方、上記左右の前脚１２は足乗せ板２１を有する前脚連結ステー２２によって連結されており、左右の後脚１４は後脚連結ステー２３により連結されている。さらに各前脚１２の中間部には側部フレーム２４の前端が枢着され、その側部フレーム２４の後端が上記ブラッケット１９及び手押し杆１５の下端部とともに側部縦パイプ１７の先端部に枢着され、また、左右の側部フレーム２４の中間部が左右方向に延びる上部連結ステー２５によって連結されている。
【０００６】
しかして、側部縦パイプ１７の下端に設けられているロック部材２０をブラッケット１９の上端に設けられている係止部に係合することによって、ベビーカーが使用可能な展開状態に保持される。一方、手押し杆１５に設けられている操作装置２６を操作することにより上記ロック部材２０とブラッケット１９との係合が離脱されると、アームレスト１６及び側部フレーム２４が前記側部縦パイプ１７に対して各枢着点を中心として上方に揺動可能となり、前脚１２と後脚１４とがほぼ平行状態に揺動され、携帯に便利なように２つ折り状態に折り畳むことができる。
【０００７】
上述のように形成されたベビーカー本体には、座板部及び背当て部を有するベースシート２７が装着されている。すなわち、上記ベースシート２７は、その座板部２７ａが前記上部連結ステー２５上に取り付けられ、背当て部２７ｂの左右の側辺部が左右の側部縦パイプ１７の前記アームレスト１６の枢着点より上方部に取り付けられている。そして、上記ベースシート２７上に必要に応じて縫製品からなるベビーシート（図示せず）を載置装着し、そのベビーシート上に幼児を座らせまたは寝かせて、ベビーカーの移動を行う。
【発明の開示】
【発明が解決しようとする課題】
【０００８】
ところで、上述のようなベビーカーにおいては、折り畳んだ状態で持ち運んだり、或いは階段等においてベビーカーを抱えて運ぶことがあるため、軽量化が一つの課題となっている。
【０００９】
ところが、上記ロック部材２０等を手元の遠隔装置等により動作させる部材の多くは、手押し杆の如きパイプの内側にあり手元の遠隔装置と連動している内側摺動部材と、これと連帯して追従して動く外側摺動部材により構成されており、その外側摺動部材の多くは筒状に形成されているのが通常であり、その分僅かではあるが軽量化が損なわれる等の問題がある。すなわち、外側摺動部材は内側摺動部材に追従すればよいので、必ずしも筒状である必要はないにも係わらず、外側摺動部材の多くは筒状に形成されているのが通常であり、軽量化を考えた場合にはその改善の余地がある。
【００１０】
本発明は、このような点に鑑み、外側摺動部材を筒状の代わりにほぼ板状とし、それにより軽量化を図るとともに、ガイド用の長孔の加工を簡略化できるようにした摺動制御装置を得ることを目的とする。
【課題を解決するための手段】
【００１１】
請求項１に係る発明は、軸線方向に延びる長孔を有するパイプと、上記パイプ内に挿入固定されたガイド部材と、上記パイプ内において上記ガイド部材に対して摺動可能に取り付けられている内側摺動部材と、上記ガイド部材と内側摺動部材間に張設され、内側摺動部材をガイド部材に対して初期位置にあるように付勢しているバネと、上記パイプに設けられた長孔を通して上記内側摺動部材に連結され、パイプに設けられた長孔に沿い、パイプの外面に対して摺動可能に装着された板状の外側摺動部材とを有することを特徴とする。
【００１２】
請求項２に係る発明は、請求項１に係る発明において、内側摺動部材にはパイプ内に挿通されたワイヤが連結されており、そのワイヤを操作することにより、内側摺動部材を介して外側摺動部材がパイプに設けられた長孔に沿い、パイプの外面に対して摺動されるようにしたことを特徴とする。
【００１３】
請求項３に係る発明は、請求項１に係る発明において、外側摺動部材は直接手によりパイプの外面に対して摺動されるようにしたことを特徴とする。
【００１４】
請求項４に係る発明は、請求項１乃至３のいずれかに係る発明において、外側摺動部材は内側摺動部材に対してタッピングねじ等の締結部材で外側から締結されていることを特徴とする。
【００１５】
請求項５に係る発明は、請求項２乃至４のいずれかに係る発明において、外側摺動部材は、ベビーカーにおけるロック解除部材であることを特徴とする。
【００１６】
請求項６に係る発明は、請求項２乃至４のいずれかに係る発明において、外側摺動部材は、ベビーカーにおける手押し杆を対面押し状態或いは背面押し状態に保持する係止部材であることを特徴とする。
【発明の効果】
【００１７】
本発明は、上述のように、内側摺動部材と連帯して追従して動く外側摺動部材をパイプの外面に対して摺動可能に装着された板状としたので、外側摺動部材が筒状のものに比しその重量を軽くすることができ、摺動制御装置全体の軽量化を図ることができる。
【発明を実施するための最良の形態】
【００１８】
以下、添付図面を参照して本発明の実施の形態を説明する。なお、図８と同一部材には同一符号を付しその詳細な説明は省略する。
【００１９】
図１は本発明のベビーカーの概略構成を示す斜視図、図２はその縦断側面図であって、左右一対の前脚１２、左右一対の後脚１４、ほぼＵ字状に屈曲された手押し杆１５、左右一対のアームレスト１６、及びそのアームレスト１６の後端がそれぞれ枢着された、互いに平行に延びる左右２本の側部縦パイプ１７を有している。
【００２０】
上記アームレスト１６には、その先端部に前脚１２と後脚１４の頂端部が枢着されており、そのアームレスト１６の後端が上記側部縦パイプ１７の頂端部に枢着されている。左右の前脚１２は足乗せ板を兼ねる前脚連結ステー２２により連結されており、左右の後脚１４は後脚連結ステー２３により連結されている。上記後脚１４にはＬ字状のブラッケット１９の下端部が軸１９ａにより枢着されており、その中間部が軸３０により前記側部縦パイプ１７の下端部に枢着されている。すなわち、上記左右の側部縦パイプ１７の下端部にはそれぞれ互いに対向する内面側にフレーム取付部材３１（図３）が軸３０により枢着されており、さらにその軸３０に、側部縦パイプ１７の外側に配設されたブラッケット１９とともにＵ字状の手押し杆１５の下端部が枢着されている。
【００２１】
左右の前脚１２の中間位置にはそれぞれ側部フレーム２４の前端部が枢着されており、その左右の側部フレーム２４の前端は前側上部連結ステー３２により連結されている。また、上記側部フレーム２４の後端部は上記フレーム取付部材３１の中間位置に固着されている。フレーム取付部材３１には上記側部フレーム２４の固着位置に対して前記軸３０と反対側下方位置にステー取付部３１ａが突設されており、そのステー取付部３１ａに後側上部連結ステー３３が固着され、その後側上部連結ステー３３により左右のフレーム取付部材３１が互いに連結されている。一方、上記左右のフレーム取付部材３１には、前記軸３０と後側上部連結ステー３３との間に、逆Ｕ字状に形成された背当て部支持枠３４の左右先端部が軸３５により枢着され、上記フレーム取付部材３１に対して逆Ｕ字状の背当て部支持枠３４が揺動可能に装着されている（図３）。
【００２２】
ところで、側部縦パイプ１７の下端部には、ベビーカーの展開状態において上記ブラッケット１９の自由端部と係合し、その展開状態を維持するロック部材２０が摺動可能に装着されている。一方、手押し杆１５には、手押し杆１５に設けられた遠隔操作装置３７によって操作されるロック解除部材３８が手押し杆１５に沿って摺動可能に装着されており、上記遠隔操作装置３７によって上記ロック解除部材３８を引き上げると、ロック解除部材３８に設けられているロック解除杆３９、およびロック部材２０に設けられた作動板４０を介してロック部材２０が上方に引き上げられ、ブラッケット１９のロックが解除され、前脚１２と後脚１４とがほぼ平行状態になるようにベビーカー本体を２つ折り状態にすることができる。
【００２３】
また、アームレスト１６及び側部縦パイプ１７の外側面には横方向に突出する係止突起４１（その一方のみ示す）が固設されており、手押し杆１５には上記係止突起４１に係合する凹部を有する係止部材４２が手押し杆１５に沿って摺動可能に装着されており、上記係止部材４２を上方に引き上げて、係止部材４２を係止突起４１から解放し、手押し杆１５を後方或いは前方に揺動させることにより、手押し杆１５を対面押し状態或いは背面押し状態とすることができる。
【００２４】
ところで、上記左右の側部フレーム２４、２４及びそれらの先端部を連結する前側上部連結ステー３２によって、Ｕ字状の座部支持枠が構成されており、上記座部支持枠及び背当て部支持枠３４で囲まれた部分にベースシート用生地４６が張設されている。すなわち、上記ベースシート用生地４６の座部４６ａの両側縁部が左右の側部フレーム２４に装着されるとともに座部４６ａの前端縁部が前側上部連結ステー３２に装着され、上記座部３６ａに連接されている背当て部４６ｂの両側縁部が背当て部支持枠３４の左右の側枠部４６ａに装着され、さらに背当て部４６ｂの後端縁部が上記背当て部支持枠３４の左右の側枠部４６ａを連結する水平杆部３４ｂに装着され、上記ベースシート用生地４６が前後方向及び左右方向に緊張状態に張設されている。しかも、座部支持枠に張設されたベースシート用生地４６の座部４６ａの裏面側にはベースシート緊張部材４７が縫着されており、そのベースシート緊張部材４７の先端部がベビーカーの展開状態において背当て部支持枠３４の枢着軸３５よりも下方位置に設けられている後側上部連結ステー３３に装着されている（図２）。しかして、上記ベースシートの座部４６ａがベースシート緊張部材４７によって後方側にも引っ張られ、四方から引っ張られる状態となりベースシート用生地４６がより確実に緊張状態とされる。
【００２５】
また、ベースシート４６が張設された背当て部支持枠３４の背面側には、左右の側部縦パイプ１７に固着されたリクライニング調節ベルト４８が配設されており、そのリクライニング張設ベルト４８の長さを調節することにより背当て部４６ａのリクライニング角度を調節することができる。
【００２６】
このように、ベースシート用生地４６を前後方向及び左右方向に緊張状態に張設することにより、ベースシートの剛性を維持することができ、従来のベビーカーのような板材を不要とすることができ、軽量化を図ることができる。しかも、後側上部連結ステー３３が背当て部支持枠３４の枢軸より下方位置に設けられているので、ベースシート用生地４６が乳幼児の自重で撓んでも臀部が上記後側上部連結ステー３３に当たることがなく、不快感を生じることもない。
【００２７】
一方、図３に示すように、側部縦パイプ１７とフレーム取付部材３１を連結する軸３０には乳幼児の側部を保護するサイドプレート５０の先端部が枢着されている。また、図４に示すように、前記背当て部支持枠３４の左右の側枠部３４ａを連結する水平杆部３４ｂにはその左右部に軸受け５１、５１が設けられており、その軸受け５１、５１に、乳幼児の頭部を保護するヘッドレスト５２の下端部が軸５３により枢着されている。さらに、上記ヘッドレスト５２の左右両側部にはピン５４が突設されており、そのピン５４が前記サイドプレート５０の後端部に形成された長孔５５に係合されている。
【００２８】
図３は、前記背当て部支持枠３４を傾倒し、乳幼児を寝かせるようにした状態を示す図であり、ヘッドレスト５２が上記背当て部支持枠３４の平面に対して上方に立ち上がった状態となっており、左右のサイドプレート５０により乳幼児の両側部を保護するとともに、立ち上がっているヘッドレスト５２により頭部の保護を行うことができる。そこで前記リクライニング張設ベルト４８の長さを調節して、図５に示すように上記背当て部支持枠３４の傾斜角度を大きくすると、それに伴ってサイドプレート５０も上方に傾動され、ピン５４と長孔５５との係合によりヘッドレスト５２が軸５３を中心として図３において時計方向に揺動され、ヘッドレスト５２が背当て部支持枠３４とほぼ同一平面となり、乳幼児を寝かせた状態とすることができる。一方、図５に示す状態においてリクライニング張設ベルト４８を緩めると、背当て部支持枠３４とともにサイドプレート５０が下方に揺動し、それに伴ってヘッドレスト５２が上方に揺動して図３に示す状態となり、乳幼児の頭部を保護することができるようになる。
【００２９】
図６は前記手押し杆１５に摺動可能に設けられたロック解除部材３８の斜視図、図７は上記ロック解除部材３８部の縦断面図であり、手押し杆１５にはその一部に平面状部１５ａが形成され、その平面状部の外面に外側摺動部材を構成するほぼ板状のロック解除部材３８がその手押し杆１５に沿って摺動可能に装着され、そのロック解除部材３８の外面側にロック解除杆３９が突設されている。
【００３０】
すなわち、上記手押し杆１５には軸線方向に延びる長孔５５が設けられており、その長孔５５に上記ほぼ板状のロック解除部材３８の内壁面側に設けられた基部３８ａが摺動可能に係合されている。
【００３１】
一方、上記手押し杆１５内にはガイド部材５６がが挿入固着されており、そのガイド部材５６の側面に内側摺動部材５７が摺動可能に装着されている。上記内側摺動部材５７は上記ガイド部材５６に形成された軸線方向に延びる長孔５８に沿って摺動可能に係合されており、上記ロック解除部材３８に装着されたタッピングねじの如き締結部材５９によりロック解除部材３８に一体的に連結されている。上記内側摺動部材５７には前記遠隔操作装置３７によって作動されるワイヤ６０の先端が連結されており、さらに、上記ガイド部材５６と内側摺動部材５７との間にはバネ６１が張設され、内側摺動部材５７がガイド部材５６に対して初期位置にあるように、すなわち下方に付勢されている。
【００３２】
しかして、ベビーカーの前脚１２と後脚１４とがほぼ平行状態に揺動され、携帯に便利なように２つ折り状態にベビーカー本体を折り畳むために、遠隔操作装置３７を操作してワイヤ６０を上方に引き上げると、内側摺動部材５７が外側摺動部材を構成するロック解除部材３８とともにバネ６１に抗して上方に引き上げられる。したがって、上記外側摺動部材を構成するロック解除部材３８が長孔５５に沿って上方に移動し、ベビーカーの展開状態においてブラッケット１９の自由端部と係合しその展開状態を維持するロック部材２０（図１）が、上記ロック解除部材３８から突設されているロック解除杆３９によって側部縦パイプ１７沿って摺動され、ロック部材２０と前記ブラッケット１９との係合が離脱され、ベビーカー本体を２つ折り状態に折り畳むことができる。
【００３３】
このように、本実施の形態においては、外側摺動部材を構成するロック解除部材３８がほぼ板状に形成されているので、従来の筒状に形成されたものに比し軽くなり、ベビーカー本体等の軽量化を図ることができる。また、外側摺動部材を構成するロック解除部材３８を案内摺動させるための長手方向に延びる長孔５５は、パイプの片側のみに加工すればよく、加工を簡略化することもできる。
【００３４】
なお、上記実施の形態においては、本発明をロック解除部材３８に適用したものを示したが、ベビーカーにおける手押し杆を対面押し状態或いは背面押し状態に保持する係止部材４２に適用することもでき、その部品の軽量化を図ることもできる。さらに、上記実施の形態においては遠隔操作装置によってワイヤ等を介して内側摺動部材５７を移動させ、その内側摺動部材５７を介して外側摺動部材を操作するようにしたものを示したが、外側摺動部材を直接手で動かすようにすることもできる。
【図面の簡単な説明】
【００３５】
【図１】本発明のベビーカーの概略構成を示す斜視図。
【図２】本発明のベビーカーの縦断側面図。
【図３】背当て部支持枠およびサイドプレート部の拡大側面図。
【図４】背当て部支持枠及びヘッドレスト部の平面図。
【図５】背当て部支持枠及びヘッドレストの作動説明図。
【図６】手押し杆１５に摺動可能に設けられたロック解除部材の斜視図。
【図７】ロック解除部材部の縦断面図。
【図８】従来のベビーカーの一部切り欠き斜視図。
【符号の説明】
【００３６】
１５  手押し杆
１６  アームレスト
１７  側部縦パイプ
２０  ロック部材
３８  ロック解除部材
３９  ロック解除杆
５５  長孔
５６  ガイド部材
５７  内側摺動部材
５９  締結部材
６０  ワイヤ
６１  バネ
【図１】
2007098998.tif 000003
【図２】
2007098998.tif 000004
【図３】
2007098998.tif 000005
【図４】
2007098998.tif 000006
【図５】
2007098998.tif 000007
【図６】
2007098998.tif 000008
【図７】
2007098998.tif 000009
【図８】
2007098998.tif 000010